(57)【特許請求の範囲】
【請求項１】
絶縁ハウジングと、
該ハウジングを通じて関連する部材に電気信号を伝送するための、前記ハウジングを通じて形成される、第１の電気経路と、
該第１の電気経路に電気信号を伝送するための、前記第１の電気経路に取り付けられる内側ケーブル導体を有する、第１のケーブルと、
前記ハウジングを通じて前記関連する部材に電気信号を伝送するための、前記ハウジングを通じて形成される、第２の電気経路と、
該第２の電気経路に電気信号を伝送するための、前記第２の電気経路に取り付けられる内側ケーブル導体を有する、第２のケーブルと、を備え、前記第１および第２のケーブルは、前記ハウジングに対して、かつ互いに対して回転することができる、電気コネクタ。
【請求項２】
前記ハウジングと前記第１のケーブルとの間に第１のシールおよび前記ハウジングと前記第２のケーブルとの間に第２のシールをさらに備える、請求項１に記載の電気コネクタ。
【請求項３】
前記第１の電気経路は、前記ハウジングに装着され、前記第１のケーブルの前記内側導体に固定される、第１の導体と、前記ハウジングに回転不能に装着される、第１の接触部と、を備え、前記第１の導体は、前記第１の接触部に回転可能に接続され、前記第２の電気経路は、前記ハウジングに装着され、前記第２のケーブルの前記内側導体に固定される、第２の導体と、前記ハウジングに回転不能に装着される、第２の接触部と、を備え、前記第２の導体は、前記第２の接触部に回転可能に接続される、請求項１に記載の電気コネクタ。
【請求項４】
前記第１の導体は、前記第１の接触部に取り付けられる複数の可撓性脚部を有し、前記第１の電気経路は、前記第１の導体と前記第１の接触部との間の相対的回転を依然として可能にしながら、前記脚部を圧縮するための第１のＣクリップをさらに備え、前記第２の導体は、前記第２の接触部に取り付けられる複数の可撓性脚部を有し、前記第２の電気経路は、前記第２の導体と前記第２の接触部との間の相対的回転を依然として可能にしながら、前記第２の導体の前記脚部を圧縮するための第２のＣクリップをさらに備える、請求項３に記載の電気コネクタ。
【請求項５】
前記第１および第２の接触部は、前記それぞれの導体に取り付けられる円筒状部分と、前記関連する部材に取り付けるための、前記ハウジングから延在する、平らなブレード部分と、を備える、請求項３に記載の電気コネクタ。
【請求項６】
各ケーブルは、伝導シールドを含み、前記コネクタは、前記伝導シールドのそれぞれに接続される接地経路アセンブリを含み、該接地経路アセンブリは、１〜１００ミリオーム（ｍΩ）の抵抗を有する２つの伝導シールドの間に接地経路接続を形成するように構成される、請求項１に記載の電気コネクタ。
【請求項７】
前記抵抗は、５〜５０ｍΩである、請求項６に記載の電気コネクタ。
【請求項８】
前記ケーブルのそれぞれは、絶縁外皮、伝導シールド、および絶縁シースを備え、前記内側導体および前記伝導シールドは露出され、
前記ハウジングに装着される、第１の接地経路アセンブリであって、該第１の接地経路アセンブリは、前記第１のケーブルの前記伝導シールドに取り付けられ、前記第１の電気経路および前記第１の接地経路アセンブリは、前記ハウジングおよび前記第１のケーブルによって、互いから電気的に分離され、前記第１のケーブルおよび前記第１の接地経路アセンブリの一部は、互いに対して回転可能である、第１の接地経路アセンブリと、
前記ハウジングに装着される、第２の接地経路アセンブリであって、該第２の接地経路アセンブリは、前記第２のケーブルの前記伝導シールドに取り付けられ、前記第２の電気経路および前記第２の接地経路アセンブリは、前記ハウジングおよび前記第２のケーブルによって、互いから電気的に分離され、前記第２のケーブルおよび前記第２の接地経路アセンブリの一部は、互いに対して回転可能である、第２の接地経路アセンブリと、
前記第１および第２の接地経路アセンブリが接続される、前記ハウジングに装着される、接地板と、をさらに備える、請求項１に記載の電気コネクタ。
【請求項９】
前記第１の接地経路アセンブリは、前記第１のケーブルの前記伝導シールドに取り付けられる第１の伝導キャップと、該第１のキャップに回転可能に接続される第１の伝導スリーブとを、備え、該第１のスリーブは、前記ハウジングに回転不能に固定され、前記第２の接地経路アセンブリは、前記第２のケーブルの前記伝導シールドに取り付けられる第２の伝導キャップと、前記第２のキャップに回転可能に接続される第２の伝導スリーブと、を備え、該第２のスリーブは、前記ハウジングに回転不能に固定される、請求項８に記載の電気コネクタ。
【請求項１０】
各スリーブは、複数の可撓性脚部を含み、該脚部を圧縮させ、前記それぞれのキャップと係合させるための、前記脚部と係合するＣクリップをさらに備える、請求項９に記載の電気コネクタ。
【請求項１１】
各スリーブは、第１および第２の部分から形成される、請求項９に記載の電気コネクタ。
【請求項１２】
各スリーブの前記第１の部分は、前記それぞれのスリーブの前記第２の部分と係合する複数のタブを含む、請求項１１に記載の電気コネクタ。
【請求項１３】
前記接地板は、前記スリーブと係合するための複数のフィンガーを備え、前記接地板は、関連する部材と係合するための、その周辺部から延在する複数のフィンガーをさらに備える、請求項９に記載の電気コネクタ。
【請求項１４】
前記第１のスリーブは、前記第１の電気経路を包囲するが、そこから電気的に分離され、前記第２のスリーブは、前記第２の電気経路を包囲するが、そこから電気的に分離される、請求項９に記載の電気コネクタ。
【請求項１５】
前記第１のケーブルに取り付けられる第１の伝導フェルールであって、前記第１のケーブルの前記伝導シールドは、前記第１のフェルールと前記第１のキャップとの間に挟まれる、第１の伝導フェルールと、前記第２のケーブルに取り付けられる第２の伝導フェルールであって、前記第２のケーブルの前記伝導シールドは、前記第２のフェルールと前記第２のキャップとの間に挟まれる、第２の伝導フェルールと、をさらに含む、請求項９に記載の電気コネクタ。
【請求項１６】
第１および第２のケーブルであって、各ケーブルは、絶縁外皮、伝導シールド、絶縁シース、および内側伝導導体を備え、内側導体および伝導シールドは露出される、第１および第２のケーブルと、
該ケーブルが着座する一対の通路を有する、絶縁ハウジングと、
該ハウジングと前記第１のケーブルとの間の第１のシールと、
前記ハウジングと前記第２のケーブルとの間の第２のシールと、
前記ハウジングを通じて電気信号を伝送するための、前記ハウジングを通じて形成される、第１の接触アセンブリであって、
前記ハウジングに装着され、前記第１のケーブルの前記内側導体に回転不能に接続される、第１の導体と、
前記ハウジングに回転不能に装着される、第１の接触部と、
前記第１の導体および前記第１の接触部を共に接続するための、第１のＣクリップと、を備え、
前記第１の導体は、前記第１の接触部に取り付けられる複数の可撓性脚部を有し、前記第１のＣクリップは、前記第１の導体と前記第１の接触部との間の相対的回転を依然として可能にしながら、前記脚部を圧縮し、
前記第１の接触部は、関連する部材への接続のために、前記ハウジングから外側に延在する、第１の接触アセンブリと、
前記ハウジングに装着される、第１の接地経路アセンブリであって、該第１の接地経路アセンブリは、前記第１のケーブルの前記伝導シールドに取り付けられる第１の伝導キャップと、第１の伝導スリーブと、を備え、前記第１のキャップは、前記第１のスリーブに回転可能に接続され、前記第１のスリーブは、前記ハウジングに回転不能に固定され、前記第１の接触アセンブリおよび前記第１の接地経路アセンブリは、前記ハウジングおよび前記第１のケーブルによって、互いから電気的に分離される、第１の接地経路アセンブリと、
前記ハウジングを通じて電気信号を伝送するための、前記ハウジングを通じて形成される、第２の接触アセンブリであって、
前記ハウジングに装着され、前記第２のケーブルの前記内側導体に回転不能に接続される、第２の導体と、
前記ハウジングに回転不能に装着される、第２の接触部と、
前記第２の導体および前記第２の接触部を共に接続するための、第２のＣクリップと、を備え、
前記第２の導体は、前記第２の接触部に取り付けられる複数の可撓性脚部を有し、前記第２のＣクリップは、前記第２の導体と前記第２の接触部との間の相対的回転を依然として可能にしながら、前記脚部を圧縮し、
前記第２の接触部は、前記関連する部材への接続のために、前記ハウジングから外側に延在する、第２の接触アセンブリと、
前記ハウジングに装着される、第２の接地経路アセンブリであって、該第２の接地経路アセンブリは、前記第２のケーブルの前記伝導シールドに取り付けられる第２の伝導キャップと、第２の伝導スリーブと、を備え、前記第２のキャップは、前記第２のスリーブに回転可能に接続され、前記第２のスリーブは、前記ハウジングに回転不能に固定され、前記第２の接触アセンブリおよび前記第２の接地経路アセンブリは、前記ハウジングおよび前記第２のケーブルによって、互いから電気的に分離される、第２の接地経路アセンブリと、
前記ハウジングに対して回転可能であり、互いに対して回転可能である、前記第１および第２のケーブルと、
前記スリーブに取り付けられ、前記関連する部材と電気的に接触する、接地板と、を備える、電気コネクタ。
【請求項１７】
前記第１および第２の接触部は、前記それぞれの導体に取り付けられる円筒状部分および前記ハウジングから延在する平らなブレード部分を備える、請求項１６に記載の電気コネクタ。
【請求項１８】
各スリーブは、複数の可撓性脚部を含み、該脚部を圧縮させ、前記それぞれのキャップと係合させるための、前記脚部と係合するＣクリップをさらに備える、請求項１６に記載の電気コネクタ。
【請求項１９】
各スリーブは、第１および第２の部分から形成され、各スリーブの前記第１の部分は、前記それぞれのスリーブの前記第２の部分と係合する、複数のタブを含む、請求項１８に記載の電気コネクタ。
【請求項２０】
前記接地板は、前記スリーブと係合するための複数のフィンガーを備え、前記接地板は、前記関連する部材と係合するための、その周辺部から延在する複数のフィンガーをさらに備える、請求項１８に記載の電気コネクタ。
【発明の詳細な説明】
【技術分野】
【０００１】
本出願は、２０１２年４月５日に出願された米国仮特許出願第６１／６２０，６６３号の利益を主張するものであり、参照によりその全体が本明細書に組み込まれる。
【０００２】
本発明は、コネクタの分野に関し、より具体的には、高電力の送達に適したコネクタの分野に関する。
【背景技術】
【０００３】
図１は、典型的なコネクタ構成の概略図を例示する。比較的大きいゲージケーブル（例えば、６ゲージ以上）がコネクタに連結され、電気自動車の場合、コネクタは、エンジン／モーター区画内のワイヤーをダッシュパネルの反対側のワイヤーと電気的に接続するために使用することができる。従来のコネクタは、多くの課題を抱えている。一方で、ケーブルは、高電圧（２００ボルト以上）の可能性とともに、８０〜２００アンペア（またはそれ以上）の範囲内で、比較的大きい電流を提供する必要がある。これは、自動車のアセンブリおよび修理時のケーブルの取り扱いを比較的困難にさせる、良好な絶縁の大きいゲージ導体を有するケーブルを必要とする傾向がある。この課題は、２つの別々のケーブルがコネクタに接続され得るという事実によってさらに複雑化され得る。既存の設計は、安定した接続が必要なため、ケーブルが独立して回転することを可能にせず、そのようなケーブルのアセンブリおよび使用をより難しくさせる。ケーブルは、ＥＭＩを管理するのに役立つようにシールドされる傾向があるが、導体に提供される大電流（電流の急激なスパイクを伴うことが多い）に起因して、シールドも（可能性として、２０〜８０アンペアの範囲内で）最終的に相当な電流を伝達し得る。結果的に、高電力電気コネクタの設計へのさらなる向上が当業者によって理解されるであろう。
【発明の概要】
【課題を解決するための手段】
【０００４】
既存の高電力電気コネクタへの向上を提供し、先行技術によって提示される不利益のうちのいくつかを克服する実施形態を含む、高電力電気コネクタが本明細書に提供される。双極（ＢＰ）ケーブル等の一対のケーブルからダッシュパネル等の関連する部材に電気信号を伝送するための高電力電気コネクタが提供される。高電力電気コネクタは、絶縁ハウジングと、電気信号を伝送するための、それを通じる一対の接触経路アセンブリとを含む。ケーブルは、接触経路アセンブリを介して、ハウジングに対して回転することができ、かつ互いに対して回転することができる。ケーブルを接地するための接地経路アセンブリも提供される。ケーブルは、各接地経路アセンブリの一部に対して回転可能である。
【０００５】
本発明の構造および動作の組織および方法は、そのさらなる目的および利点を共に、同様の参照番号が類似の要素を示す添付の図面に関連して考慮された以下の発明を実施するための形態を参照することにより最も良く理解され得る。
【図面の簡単な説明】
【０００６】
【図１】先行技術のコネクタ構成の側面図である。
【図２】高電力電気コネクタの実施形態の側面図である。
【図３】図２に示される実施形態の正面斜視図である。
【図４】図２に示される実施形態の後面斜視図である。
【図５】図２に示される実施形態の部分分解後面斜視図である。
【図６】図２に示される実施形態のハウジングの簡略化した部分分解正面斜視図である。
【図７】図６に示される実施形態の別の後面斜視図である。
【図８】第１のハウジングの実施形態の正面図である。
【図９】第２のハウジングの実施形態の正面図である。
【図１０】図２に示される実施形態のコンポーネントの部分分解斜視図である。
【図１１】線１０−１０に沿って切り取った、図３に示される実施形態の断面図である。
【図１２】図１１に示される実施形態の拡大断面図である。
【図１３】図１１に示される実施形態の別の拡大断面図である。
【図１４】明確さの目的のために、第１のハウジング部分が省略された状態の、図１１に示される実施形態の拡大部分断面図である。
【発明を実施するための形態】
【０００７】
本発明は、異なる形の実施形態の影響を受け得るが、一方で、本開示は、本発明の原理の例証とみなされるべきであり、本明細書に例示および説明されたものに本発明を限定するよう意図されないという理解の下で、特定の実施形態が図面に示され、本明細書に詳細に記載される。したがって、別途示されない限り、本明細書に開示される特徴は、簡潔さの目的のために示されなかったさらなる組み合わせを形成するように共に組み合わせられ得る。本明細書において上部、下部等の用語が使用されるが、一方で、これらの用語は、本発明の説明を容易にするために使用され、本発明の使用に特に必要とされる配向を意味するものではない。
【０００８】
後述される実施形態は、既存の設計に存在する、出願人が判定したある課題に対応する。例えば、ある用途において、コネクタの取り扱いが向上し得るように、２つのケーブルが、互いから、かつコネクタから独立して回転することを可能にすることが有益であるが、既存の設計はこの機能を提供しない。加えて、ある用途では、２つのシールド間のインピーダンスを減少させる様式で、２つのシールド上の電流を取り消すことを可能にすることが有益である。説明された実施形態のある特徴は、これらの課題に対応するのに役立つことができる。当然ながら、特定の用途において、特徴のさらなる費用がその有用性を上回る場合、コネクタから特徴を除去することができる。したがって、種々のレベルの特徴を有する種々のレベルのコネクタが可能である。
【０００９】
図を参照すると、高電力電気コネクタ２０は、第２のハウジング部分２４に接合する第１のハウジング部分２２から形成されるハウジングを含む。一対の接触経路アセンブリ２６および一対の接地経路アセンブリ２８および接地板３０が、ハウジング部分２２、２４に装着される。２つの接地経路アセンブリ２８および接地板３０の組み合わせは、信号および／または電力を提供するために使用されている２つの伝導シールド３８間の接地経路接続２８ａ（いわゆる、２つの接地経路アセンブリに沿った下方および後方）を画定する。接触経路アセンブリ２６は、接触経路アセンブリ２６がそれぞれ取り付けられる一対のケーブル３２から、ハウジング部分２２、２４を通じて、接触経路アセンブリ２６が取り付けられる関連する部材（図示せず）に、電気信号（例えば、電力）が移動するための経路を提供する。接触経路アセンブリ２６および接地経路アセンブリ２８は、互いから電気的に分離される。ケーブル３２（双極ケーブルであることができる）は、本明細書に説明される接触経路アセンブリ２６の構造の結果として、ハウジング部分２２、２４に対して、かつ互いに対して回転することができる。電気コネクタ２０は、より大きいゲージの導体（６ゲージより大きいゲージ等）に電気的に接続するのに適している。接地経路アセンブリ２８および接地板３０は、ケーブル３２を関連するダッシュパネル３４に接地するように、接地経路を提供する。電気コネクタ２０は、例えば、２００〜４００アンペア等の大量の電圧および電流を伝達することができる。
【００１０】
電力を提供するための２つのケーブルの使用は、当技術分野で周知であり、これは、双極（ＢＰ）ケーブルと称される場合がある。ケーブル３２は細長く、それぞれ、大電流負荷を送達するように構成される内側伝導導体４２、内側導体４２を包囲する絶縁シース４０、絶縁シース４０を包囲する伝導シールド３８、および絶縁外皮３６を含む。絶縁外皮３６は、ケーブル３２を接地するように、当技術分野で周知のように、伝導シールド３８を露出するように切り取られ得る。周知のように、大電流ケーブル３２は、堅く重いケーブルであり、ケーブル（またはケーブルが接続されるコンポーネント）の修理を難しくし得る。したがって、ケーブル３２が、ハウジング部分２２、２４に対して、かつ互いに対して回転することを可能にすることは、ケーブル３２への損傷を防ぐのに役立ち、アセンブリの柔軟性および使いやすさを向上させるために決定されている。
【００１１】
第１のハウジング部分２２は、絶縁材料で形成され、好ましくは、一体的に形成される。第１のハウジング部分２２は、上部、下部、ならびに上部および下部を接続する側部から形成される略楕円形の側壁４４を有する。側壁４４は、前端部４６および後端部４８を画定する。上部および下部は、略平面である。側部は、略弓形である。前壁５０は、側壁４４の前端部４６に提供され、第１の対の円筒状延在部５２は、前壁５０の前側から延在し、それぞれ、それを通じる円筒状通路５４を画定する。第２の対の円筒状延在部５６は、前壁５０の後側から延在し、それぞれ、それを通じる円筒状通路５８を画定する。通路５４および５８は、互いに整列し、開口部は、通路５４と５８との間の連通を可能にするように前壁５０を通じて形成され、それによって、中央通路５４／５８を形成する。延在部５６は、好ましくは、側壁４４の後端部４８を越えて延在しない。延在部５６を形成する壁は、示されるようにスロット付きであり得る。第２の対の円筒状延在部６０は、前壁５０の後側から延在する。円筒状延在部６０は、それぞれの第１の円筒状延在部５６を包囲し、それぞれの第１の円筒状延在部５６から離間される。複数の離間されたスロット６２は、各第１の円筒状延在部５６の周りに提供される。
【００１２】
第２のハウジング部分２４は、絶縁材料で形成され、好ましくは、一体的に形成される。第２のハウジング部分２４は、略楕円形の側壁６６が延在する板６４を含む。ハウジング部分２２、２４が共に接合されるときに、側壁６６が側壁４４内に収まるようにより小さいことを除けば、側壁６６は、第１のハウジング部分２２の側壁４４と同一の形である。したがって、側壁６６は、前端部７０および後端部７２を画定する。側壁６６は、上部、下部、ならびに上部および下部を接続する側部から形成される。上部および下部は、略平面である。側部は、略弓形である。一対の離間された円筒状延在部７４は、板６４の前側から延在し、側壁６６内に提供される。各円筒状延在部７４は、その中に画定される円筒状通路７６を有する。各円筒状延在部７４の前端部は、好ましくは、側壁６６の前端部を越えて延在しない。一対の円筒状延在部７８は、板６４の後側から延在する。後壁８０、８０ａは、その中央に提供される楕円形の開口部８２を除いて、各円筒状延在部７８の後端部を閉じる。開口部８２は、平面の上面および下面ならびに弓形側壁を有する。細長い通路８４は、それぞれの円筒状延在部７８を通じて延在し、それぞれの開口部８２と連通する。棒８６は、各開口部８２を越えて平面の上面から平面の下面に延在する。開口部は、板６４を通じて形成されて、通路７６間の連通を可能にする。それぞれの通路７６、７８は、互いに、かつそれぞれの開口部８２と整列して、中央通路７６／７８／８２を形成する。弓形スロット８８は、板６４を通じて提供され、各延在部７８の周りに形成される。
【００１３】
板６４の後面は、その中に略矩形の陥凹９０を有し、延在部７８は、陥凹９０から外側に延在する。溝９２は、板６４の後面に提供され、陥凹９０の周辺部の周りに延在し、そこから離間される。エラストマーシール９４は、第２のハウジング部分２４をダッシュパネル３４に封着するように、溝９２内に着座する。複数の装着開口部９６は、溝９２と板６４の周辺部との間に提供される。ファスナー（図示せず）は、第２のハウジング部分２４をダッシュパネル３４に装着するように、装着開口部９６に装着される。
【００１４】
第２のハウジング部分２４の側壁６６は、ハウジング部分２２、２４が共にアセンブルされるときに、第１のハウジング部分２２の側壁４４に着座する。それぞれの延在部５６は、関連する延在部７４内に着座する。シール部材９８は、延在部６０と側壁６６との間に提供される。ハウジング部分２２、２４は、当技術分野で周知のスナップフィットロック特徴／さねはぎ等によって互いに適切に固定される。
【００１５】
接触経路アセンブリ２６は同一であり、したがって、接触経路アセンブリ２６のうちの１つのみが説明される。接触経路アセンブリ２６は、第１のハウジング部分２２に装着され、ケーブル３２の内側導体４２に取り付けられる伝導内側導体１００、第２のハウジング部分２４に装着され、導体１００に接続される伝導接触部１０２、および導体１００を接触部１０２に接続する伝導Ｃクリップ１０４を含む。導体１００および接触部１０２は、ハウジング２２、２４を通じて電気経路を形成する。導体１００は、接触部１０２に回転可能に取り付けられる。結果として、導体１００およびケーブル３２は、ハウジング部分２２、２４に対して回転可能である。
【００１６】
導体１００は、第１の円筒状壁１０４、第２の円筒状壁１０６、および壁１０４、１０６間の中央壁１０８から形成される。第１の壁１０４および中央壁１０８は、その中に結合ボア１１０を画定し、第２の壁１０６および中央壁１０８は、その中に結合ボア１１２を画定する。フランジ１１４は、中央壁１０８から外側に延在する。第１の壁１０４は、外側に広がる前端部を有する。第２の壁１０６は、中央壁１０８に向かって後端部から延在して、互いに向かって圧縮され得る複数の脚部１１６を画定する、４つの等距離間隔のスロットを有する。第２の壁１０６の後端部は、外側に広がる。導体１００は、第１のハウジング部分２２の中央通路５４／５８内に着座し、脚部１１６は、延在部５６内に着座する。
【００１７】
接触部１０２は、円筒状である前部１１８および平らなブレードを形成する後部１２０を有する。開口部１２２は、後部１２０の前端部に近接して、後部１２０を通じて提供される。接触部１０２は、第２のハウジング部分２４に装着され、それによって、前部１１８は、延在部７４内の通路７６内に着座し、後部１２０は、延在部７８内の通路８４内に着座し、かつ開口部８２から外側に延在する。棒８６は、開口部１２２を通じて延在する。この構造の結果として、接触部１０２は、第２のハウジング部分２４に対して回転することができない。
【００１８】
導体１００の前部１０４は、ケーブル３２の内側導体４２の露出された部分上に着座する。内側導体１００の前部１０４は、内側導体４２に圧着されて、内側導体１００を内側導体４２に電気的に接続する。
【００１９】
導体１００の後部１０６は、接触部１０２の円筒状前部１１８上に着座する。Ｃクリップ１０４は、導体１００の後部１０６上に係合して、脚部１１６を圧縮させ、接触部１０２の円筒状前部１１８と係合させる。Ｃクリップ１０４は、電気的接続を生じさせるのに十分な圧縮力を提供するが、しかしながら、Ｃクリップ１０４は、導体１００と接触部１０２との間の回転を防ぐような圧縮力は提供しない。
【００２０】
接地経路アセンブリ２８は同一であり、したがって、接地経路アセンブリ２８のうちの１つのみが説明される。接地経路アセンブリ２８は、伝導フェルール１２４、伝導キャップ１２６、内側伝導スリーブ部分１２８および外側伝導スリーブ部分１３２から形成されるスリーブ、ならびに金属Ｃクリップ１３０を含む。
【００２１】
フェルール１２４は、前端部および後端部を有する円筒状側壁１３４、それを通じる円筒状通路１３６、ならびに側壁１３４の前端部から外側に延在する円形フランジ１３８を有する。離間されたスロット１４０は、フランジ１３８を通じて延在し、側壁１３４に沿って所定の距離を延在する。離間された突起１４２は、側壁１３４の外面から延在し、スロット１４０とそれぞれ整列するが、スロットから離間される。
【００２２】
伝導キャップ１２６は、前端部および後端部を有する円筒状側壁１４４ならびにそれを通じる円筒状通路１４６を有する。後壁１４８は、側壁１４４の後端部を閉じ、後壁１４８を通じる円形開口部１５０は、通路１４６と連通する。一対の直径方向に対向するタブ１５２は、側壁１４４の前端部で画定され、タブ１５２は、側壁１４４を通じてスロットによって形成される。
【００２３】
スリーブ部分１２８は、前端部および後端部を有する円筒状側壁１５４ならびにそれを通じる円筒状通路１５６から形成される。一対の直径方向に対向するスロット１５８は、スリーブ部分１２８の後端部から所定の距離を前方に延在する。複数の離間されたタブ１６０は、スリーブ部分１２８から穿孔され、そこから外側に延在する。タブ１６０は、スリーブ部分１２８の後端部に近接して、ただし、離間されて提供される。複数のタブ１６２は、側壁１５４から穿孔され、スロット１５８の前端部に近接する。一対の直径方向に対向するスロット１６１は、スリーブ部分１２８の前端部から前方に所定の距離を延在して、スリーブ部分１２８の前端部で脚部１６１ａを画定する。溝１６３は、その中にＣクリップ１３０を受容するように、スリーブ部分１２８の前端部に提供される。溝１６３は、スロット１６１によって遮断される。
【００２４】
外側スリーブ部分１３２は、前端部および後端部を有する円筒状側壁１６４ならびにそれを通じる円筒状通路１６６から形成される。複数の離間された開口部１６８は、側壁１６４を通じて提供される。外側スリーブ部分１３２は、図面に示されるように、複数の段差部を含むことができる。
【００２５】
接地板３０は、薄い伝導板から形成され、薄い伝導板は、それを通じる一対の円形切り欠き部１７０を有する。円形切り欠き部１７０は、複数の可撓性フィンガー１７２を画定する。接地板３０の周辺部は、そこから延在する複数の可撓性フィンガー１７４を有する。
【００２６】
ケーブル３２と接地経路アセンブリ２８のアセンブリは同一であり、したがって、１つのみが説明される。ケーブル３２と接地経路アセンブリ２８をアセンブルするために、ケーブル３２のシールドは、最初に、後ろに引かれて、ケーブル３２の残りにわたって後方にシールド３８の一部を巻き、シールド３８に屈曲部を形成する。
【００２７】
ケーブル３２は、フェルール１２４内の円筒状通路１３６を通じて延在し、フェルール１２４は、シールド３８の巻かれた後部の下に配置される。代替的に、フェルール１２４は、最初に、ケーブル３２上に着座することができ、シールド３８の一部が、フェルール１２４の後方に巻かれる。結果として、シールド３８の巻かれた後部は、フェルール１２４の外面にわたって前方に所定の距離を延在する。
【００２８】
開口部１５０を形成する壁が、ケーブル３２の絶縁シース４０に当接し、キャップ１２６の後壁１４８が、巻かれたシールド３８の屈曲部に当接し、キャップ１２６の側壁１４４が、シールド３８の巻かれた後部上に着座するように、ケーブル３２は、キャップ１２６内の開口部１５０を通じて延在する。キャップ１２６の前端部は、フェルール１２４のフランジ１３８に当接する。フェルール１２４のスロット１４０および突起１４２は、フェルール１２４をケーブル３２に取り付けるのに役立つ。キャップ１２６のタブ１５２は、キャップ１２６をフェルール１２４に取り付けるのに役立つ。接続されたフェルール１２４、ケーブル３２、およびキャップ１２６は、第１のハウジング部分２２の延在部５２内に着座する。したがって、ケーブル３２のシールド３８の巻かれた後部は、キャップ１２６の側壁１４４の内面とフェルール１２４の側壁１３４の外面との間に挟まれる。
【００２９】
スリーブ部分１２８の前端は、キャップ１２６の側壁１４４上に着座する。Ｃクリップ１３０は、溝１６３内に着座し、スリーブ部分１２８の脚部１６１ａは、スリーブ部分１２８をキャップ１２６の側壁１４４に取り付けるように内側に圧縮する。キャップ１２６は、スリーブ部分１２８に対して回転することができる。Ｃクリップ１３０は、スリーブ部分１２８とキャップ１２６との間に電気的接続を生じさせるのに十分な圧縮力を提供するが、しかしながら、Ｃクリップ１３０は、スリーブ部分１２８とキャップ１２６との間の回転を防ぐような圧縮力は提供しない。Ｃクリップ１３０が提供されるため、スリーブ部分１２８とキャップ１２６との間の安定した電気的接続を確実にしながら、より軟質な材料をスリーブ部分１２８に使用することができる。スリーブ部分１２８は、延在部５２内に部分的に着座し、第１のハウジング部分２２の前壁５０の開口部を通じて延在し、延在部６０を包囲するスロット６２を通じて着座する。第１のハウジング部分２２は、スリーブ部分１２８内のスロット１５８を充填して、スリーブ部分１２８を第１のハウジング部分２２に接続する。タブ１６２は、第１のハウジング部分２２と係合する。
【００３０】
スリーブは、外側スリーブ部分１３２の前端部を内側スリーブ部分１２８の後端部上に着座させることによって形成される。外側スリーブ部分１３２は、内側スリーブ部分１２８のタブ１６０上に着座し、タブ１６０と係合する。外側スリーブ部分１３２の内側面とタブ１６０の係合は、外側スリーブ部分１３２と内側スリーブ部分１２８との間の安定した電気的接続を確実にする。外側スリーブ部分１３２は、スロット８８を通じて延在し、第２のハウジング部分２４の延在部７８を取り囲む。第２のハウジング部分２４は、外側スリーブ部分１３２内の開口部１６６を通じて延在して、第２のハウジング部分２４からの外側スリーブ部分１３２の除去を防ぐ。
【００３１】
接地板３０は、第２のハウジング部分２４の陥凹９０内に着座し、概して、陥凹９０の形に適合する。複数の可撓性フィンガー１７２は、外側スリーブ部分１３２の後端部と係合して、接地板３０と外側スリーブ部分１３２との間に安定した電気的接続を提供する。複数の可撓性フィンガー１７４は、ダッシュ板３４と係合するように、陥凹９０から外側に延在して、接地板３０とダッシュ板３４との間に安定した電気的接続を提供する。
【００３２】
この構造の結果として、ケーブル３２の接地が提供される。シールド３８は、キャップ１２６に電気的に接続され、キャップ１２６は、内側スリーブ部分１２８に電気的に接続され、内側スリーブ部分１２８は、外側スリーブ部分１３２に電気的に接続され、外側スリーブ部分１３２は、接地板３０に電気的に接続される。接地板３０は、ダッシュパネル３２に接地される。
【００３３】
エンドキャップ１７８およびシール１８０を含む、一対のエンドキャップおよびシールアセンブリ１７６は、第１のハウジング部分２２の前端部でそれぞれのケーブル３２との防水性シールを提供する。エンドキャップおよびシールアセンブリ１７６は同一であり、第１のハウジング部分２２およびケーブル３２とのそれらのアセンブリは同一であり、したがって、単一のエンドキャップおよびシールアセンブリ１７６ならびにそのアセンブリのみが説明される。エンドキャップおよびシールアセンブリ１７６は、エンドキャップ１７８およびエラストマーシール１８０を含む。エンドキャップ１７８は、前端部および後端部を有する円筒状側壁１８２ならびにそれを通じる円筒状通路１８４から形成される。前壁１８６は、側壁１８２の前端部を閉じ、通路１８４と連通する、それを通じて提供される円形開口部１８８を有する。一対のスロット１９０は、側壁１８２を通じて提供され、直径方向に互いに対向する。
【００３４】
シール１８０は、エンドキャップ１７８内に着座し、ケーブル３２を包囲する。シール１８０は、体１９０を有するエラストマー材料で形成され、体１９０は、それを通じる中央通路１９２を有する。体１９０の外面は、その上に波形を有し、中央通路１９２を形成する内側面は、その上に波形を有する。ケーブル３２は、中央通路１９２を通じて着座する。フェルール１２４の前端部は、シール１８０の後端部に当接する。シール１８０は、第１のハウジング部分２２の延在部５２の内面と係合する。シール１８０は、延在部５２の内径よりわずかに大きい外径を有する。結果として、シール１８０は、延在部５２内にわずかに圧縮されて、水密シールを形成する。エンドキャップ１７８は、延在部５２の前端部上に着座し、延在部５２上の突起１９４と係合するスロット１９０によってそこに取り付けられる。これは、シール１８０が円筒状延在部から係脱することを防ぐ。
【００３５】
この構造の結果として、各ケーブル３２、導体１００、接触部１０２、フェルール１２４、およびキャップ１２６は、共に固定され、ハウジング部分２２、２４に装着される。ケーブル３２、導体１００、フェルール１２４、およびキャップ１２６は、共に回転不能に固定される。接触部１０２および導体１００は、互いに回転可能に接続されるため、また、スリーブ部分１２８およびキャップ１２６は、互いに回転可能に接続されるため、固定されたケーブル３２／導体１００／キャップ１２６／フェルール１２４の組み合わせは、接触部１０２に対して回転することができ、したがって、ユーザがケーブル３２を回転することを望む場合、ハウジング部分２２、２４に対して回転することができる。シール１８０は、このアセンブリとともに回転し得るか、または第２のハウジング部分２４とともに静止し得る。２つのケーブル３２は、所望される場合、互いに別々に回転することができる。
【００３６】
電気コネクタ２０の構造は、（例えば、接地経路接続２８ａに沿って）２つのケーブルの伝導シールド３８間に、好ましくは、１〜１００ミリオーム（ｍΩ）、より好ましくは、３０ｍΩを下回る非常に低い抵抗を提供する。当然ながら、インピーダンスの向上は、アセンブリの容易さおよび費用とバランスを取らなければならない（インピーダンスのさらなる減少は、概して、より高価な材料およびより高い接触力を必要とし、また、実践的にインピーダンスをさらに減少させる能力を最終的に制限させる、結果としての増加した挿入力およびより高い費用とバランスを取らなければならないため）。約１ｍΩ以下の抵抗を有するコネクタを提供することは、費用および使いやすさの観点から望ましくない場合がある。示された設計は、テストされており、例えば、約９〜１０ｍΩの抵抗を提供することができる。したがって、５〜５０ｍΩの抵抗を目指す多くの用途は、より望ましい目標であり得、結果的に、ある実施形態において、接地経路接続２８ａは、インピーダンスが、８０アンペア未満の電流に対して低く（例えば、１００ｍΩ未満）あることができるように構成することができる。
【００３７】
本発明の好ましい実施形態を示し、説明しているが、当業者は、添付の特許請求の範囲の精神および範囲から逸脱することなく、本発明の種々の修正を考案し得ることが想定される。
【図１】
0005889478.tif 000002
【図２】
0005889478.tif 000003
【図３】
0005889478.tif 000004
【図４】
0005889478.tif 000005
【図５】
0005889478.tif 000006
【図６】
0005889478.tif 000007
【図７】
0005889478.tif 000008
【図８】
0005889478.tif 000009
【図９】
0005889478.tif 000010
【図１０】
0005889478.tif 000011
【図１１】
0005889478.tif 000012
【図１２】
0005889478.tif 000013
【図１３】
0005889478.tif 000014
【図１４】
0005889478.tif 000015